(57)【要約】【課題】複数箇所から複数の音を出す事が可能な音が出る本を提供する事。【解決手段】小片側アンテナ識別情報と小片側アンテナとを有する小片と、前記小片側アンテナと通信して前記小片側アンテナ識別情報を受信する支持台紙側アンテナと、前記支持台紙側アンテナが少なくとも２つ設けられた支持台紙と、前記支持台紙に設けられた冊子体と、冊子体の開かれている頁の頁情報を作成する頁情報作成手段と、音を記憶する音記憶手段と、前記音記憶手段に記憶されている音を再生する音再生手段と、前記小片側アンテナと通信した前記支持台紙側アンテナを識別して、支持台紙側アンテナ識別情報を作成する支持台紙側アンテナ識別情報作成手段と、前記支持台紙側アンテナ識別情報、前記小片側アンテナ識別情報、及び、頁情報に基づき、前記音記憶手段から音を選択し、前記音再生手段で再生する音計算手段を有することを特徴とする音が出る本である。【選択図】図１
2006212311.tif 000002
【特許請求の範囲】
【請求項１】
小片側アンテナ識別情報を記憶する小片側アンテナ識別情報記憶手段と、前記小片側アンテナ識別情報記憶手段に設けられた小片側アンテナと、を有する小片と、
前記小片側アンテナと通信して前記小片側アンテナ識別情報を受信する支持台紙側アンテナと、
前記支持台紙側アンテナが少なくとも２つ設けられた支持台紙と、
前記支持台紙に設けられた冊子体と、
冊子体の開かれている頁の頁情報を作成する頁情報作成手段と、
音を記憶する音記憶手段と、
前記音記憶手段に記憶されている音を再生する音再生手段と、
前記小片側アンテナと通信した前記支持台紙側アンテナを識別して、支持台紙側アンテナ識別情報を作成する支持台紙側アンテナ識別情報作成手段と、
前記支持台紙側アンテナ識別情報、前記小片側アンテナ識別情報、及び、前記頁情報計算手段が認識した頁情報に基づき、前記音記憶手段から音を選択し、前記音再生手段で再生する音計算手段と、
を有することを特徴とする音が出る本。
【請求項２】
隣接する前記支持台紙側アンテナの間の距離は冊子体の厚みの２倍以上である事を特徴とする請求項１記載の音が出る本。
【請求項３】
前記音記憶手段に記憶されている音は、音声であることを特徴とする請求項１又は請求項２記載の音が出る本。
【請求項４】
前記小片が少なくとも２つあることを特徴とする請求項１乃至請求項３いずれか一つに記載の音が出る本。
【請求項５】
前記小片は、前記音記憶手段が記憶する音と対応した形状を有している事を特徴とする請求項１乃至請求項４何れか一つに記載の音が出る本。
【請求項６】
前記小片側アンテナは、小片が前記冊子体と接触する面の近傍に設けられている事を特徴とする請求項１又は請求項５何れか一つに記載の音が出る本。
【発明の詳細な説明】
【技術分野】
【０００１】
本発明は、音が出る本に関し、更に詳細には、小片を冊子体（例えば本、書籍、雑誌、パンフレット、カタログ、小冊子などがあるが、これに限定しない）に接触させることによって音が出る本に関する。
【背景技術】
【０００２】
従来より、小片を冊子体に近づけることによって音が出る本が存在する。例えば、特許文献１には、音楽或いは言語を記憶したＩＣメモリ、圧電スピーカー、バッテリー、及び、磁気感知スイッチからなる音声発生手段を、厚みを有する表紙内に組み込み、また、該表紙の一部にはケースを形成し、このケース内に動物等の具象物の形状を模した小片を収納するとともに、この小片の少なくとも一部を磁性体にて構成し、磁性体を有する小片を表紙と接触させることによって、磁気感知スイッチが機動し、ＩＣメモリに記憶された音楽や言葉等が小片から発せられることを特徴とする音が出る本が開示されている。
【０００３】
しかし、引用文献１が開示する音が出る本では、面白さに欠けるという問題点を有していた。すなわち、引用文献１が開示する音が出る本では、表紙の内側に音声発生手段を組み込んでいるため、音が出る部分は表紙のみである。更に、磁性体を有する小片を表紙と接触させることによって、磁気感知スイッチが起動し、ＩＣメモリに記憶された音楽や言葉等が小片から発せられるため、音の出る部分から１種類の音が出るのみである。よって、面白さに欠け、飽き易い本となっていた。
【特許文献１】実開昭６０−１２９９９８号
【発明の開示】
【発明が解決しようとする課題】
【０００４】
本願発明はこのような問題点を解決するためになされたものであり、その課題とするところは、複数箇所から音を出すことができ、かつ、複数の音を出す事が可能な音が出る本を提供する事を課題とする。
【課題を解決するための手段】
【０００５】
上記課題を解決するため本願発明の請求項１は小片側アンテナ識別情報を記憶する小片側アンテナ識別情報記憶手段と、前記小片側アンテナ識別情報記憶手段に設けられた小片側アンテナと、を有する小片と、前記小片側アンテナと通信して前記小片側アンテナ識別情報を受信する支持台紙側アンテナと、前記支持台紙側アンテナが少なくとも２つ設けられた支持台紙と、前記支持台紙に設けられた冊子体と、冊子体の開かれている頁の頁情報を作成する頁情報作成手段と、音を記憶する音記憶手段と、前記音記憶手段に記憶されている音を再生する音再生手段と、前記小片側アンテナと通信した前記支持台紙側アンテナを識別して、支持台紙側アンテナ識別情報を作成する支持台紙側アンテナ識別情報作成手段と、前記支持台紙側アンテナ識別情報、前記小片側アンテナ識別情報、及び、前記頁情報計算手段が認識した頁情報に基づき、前記音記憶手段から音を選択し、前記音再生手段で再生する音計算手段と、を有することを特徴とする音が出る本である。
【０００６】
また、本願発明の請求項２は、隣接する前記支持台紙側アンテナの間の距離は冊子体の厚みの２倍以上である事を特徴とする請求項１記載の音が出る本である。
【０００７】
また本願発明の請求項３は、前記音記憶手段に記憶されている音は、音声であることを特徴とする請求項１又は請求項２記載の音が出る本である。
【０００８】
また本願発明の請求項４は、前記小片が少なくとも２つあることを特徴とする請求項１乃至請求項３いずれか一つに記載の音が出る本である。
【０００９】
また、本願発明の請求項５は、前記小片は、前記音記憶手段が記憶する音と対応した形状を有している事を特徴とする請求項１乃至請求項４何れか一つに記載の音が出る本である
【００１０】
また本願発明の請求項６は、前記小片側アンテナは、小片が前記冊子体と接触する面の近傍に設けられている事を特徴とする請求項１又は請求項５何れか一つに記載の音が出る本である。
【発明の効果】
【００１１】
すなわち、本願請求項１記載の発明では、小片側アンテナ識別情報を記憶する小片側アンテナ識別情報記憶手段と、前記小片側アンテナ識別情報記憶手段に設けられた小片側アンテナと、を有する小片と、前記小片側アンテナと通信して前記小片側アンテナ識別情報を受信する支持台紙側アンテナと、前記支持台紙側アンテナが少なくとも２つ設けられた支持台紙と、前記支持台紙に設けられた冊子体と、冊子体の開かれている頁の頁情報を作成する頁情報作成手段と、音を記憶する音記憶手段と、前記音記憶手段に記憶されている音を再生する音再生手段と、前記小片側アンテナと通信した前記支持台紙側アンテナを識別して、支持台紙側アンテナ識別情報を作成する支持台紙側アンテナ識別情報作成手段と、前記支持台紙側アンテナ識別情報、前記小片側アンテナ識別情報、及び、前記頁情報計算手段が認識した頁情報に基づき、前記音記憶手段から音を選択し、前記音再生手段で再生する音計算手段と、を有するため、複数箇所から音を出すことができ、かつ、複数の音を出す事が可能になる。つまり、本願発明では、支持台紙にすくなくとも２つの支持台紙側アンテナが設けられているため、複数箇所から音を出すことが可能になる。また、音計算手段が、支持台紙側アンテナ識別情報、小片側アンテナ識別情報、及び、頁情報に基づき、音記憶手段から音を選択して音再生手段で再生するため、複数の音を出す事が可能になるのである。
【００１２】
ここで、本願発明の音が出る本において、音が出る構造を簡単に説明すると、本願発明では、小片に、小片側識別情報記憶手段と小片側アンテナが設けられており、また、支持台紙には支持台紙側アンテナが設けられている。更に、支持台紙には、支持台紙に重なるように冊子体が設けられており、また冊子体には、冊子体のうち、現在開かれている頁がどこであるのかを示す情報である頁情報（例えば、頁番号等があるがこれに限定しない。）を作成する頁情報作成手段が設けられている。まず、冊子体の任意の頁を開くことによって、頁情報作成手段が起動し、どの頁を開いているのかを示す情報である頁情報が作成される。そして、小片を冊子体に近づけることによって、小片側アンテナと支持台紙側アンテナが通信し、小片側アンテナから支持台紙側アンテナへと、小片側アンテナ識別情報が送信される。また、小片側アンテナと支持台紙側アンテナが通信すると、支持台紙側アンテナ識別情報作成手段が機動して、支持台紙に設けられた少なくとも２つの支持台紙側アンテナのうち、どの支持台紙側アンテナが小片側アンテナと通信したのかを識別し、小片側アンテナと通信した支持台紙側アンテナの支持台紙側アンテナ識別情報を作成する。
【００１３】
このように、頁を開く事によって頁情報作成手段によって作成された頁情報と、小片側アンテナと通信することによって支持台紙側アンテナ識別情報作成手段で作成された支持台紙側アンテナ識別情報と、支持台紙側アンテナと通信する事によって送信された小片側アンテナ識別情報とが、音計算手段に送られる。そして音計算手段が、頁情報、支持台紙側アンテナ識別情報、及び、小片側アンテナ識別情報に基づいて、音記憶手段から音を選択し、音再生手段で音を再生させるのである。
【００１４】
以上のように本願発明では、支持台紙側アンテナ識別情報、小片側アンテナ識別情報、及び、頁情報に基づいて、音記憶手段から音を選択し、音再生手段で音を再生させるため、支持台紙側アンテナ識別情報、小片側アンテナ識別情報、及び、頁情報ごとに異なる音を発生させる事が可能であり、複数の音を出す事が可能である。例えば、小片側アンテナと通信する支持台紙側アンテナが同じであっても、通信した際に開いている頁によって異なる音を出すことが可能である。また、支持台紙側アンテナが少なくとも２つ設けられている支持台紙に、冊子体が設けられているため、冊子体の１つの頁のうち、少なくとも２箇所から音を出す事が可能である。なお、支持台紙に設けられた支持台紙側アンテナの支持台紙側アンテナ識別情報を、互いに異なるものにする事によって、支持台紙側アンテナ毎にそれぞれ異なる音を出すことが可能になる点は言うまでも無い。結局本願発明では、支持台紙側アンテナの設けられた位置と、支持台紙側アンテナと小片側アンテナを通信させた際に開いている頁によって異なる音を出す事が可能であるため、面白みのある本を提供する事が可能になる。
【００１５】
また本願発明の音が出る本は、支持台紙に冊子体を設けるため、コストを下げて製造する事が可能である。すなわち、特許文献１が開示するように、表紙内にＩＣメモリ等の音発生手段を組み込む場合では、冊子体と音発生手段と別々に作成することができないため、製造コストが上がってしまうという問題を有している。つまり、特許文献１が開示している音が出る本では、表紙内にＩＣメモリ等の音発生手段を組みこまれているため、製本する前にＩＣメモリ等の音発生手段を組み込む必要があり、冊子体と音発生手段を直列に製造しなければならない。しかし、本願発明の音が出る本では、支持台紙側アンテナと小片側アンテナとが通信することによって音が出るため、支持台紙に冊子体を設けることで、音が出る本を製造する事が可能である。よって、支持台紙、頁情報作成手段、音記憶手段、音再生手段、支持台紙側アンテナ識別情報、および、音計算手段を有する音発生手段と、冊子体とを別々に製造した後に冊子体と支持台紙とを重ね合わせて音が出る本を製造する事が可能になり、作業を並列に行なう事が可能である。よって、製造コストを抑える事が可能である。
【００１６】
ここで、小片とは、小片側アンテナ識別情報記憶手段と、小片側アンテナとが設けられたものである。なお、小片は、小片側アンテナ識別情報記憶手段と、小片側アンテナとを有していれば、本願発明の音が出る本の目的に応じて任意の形状を採用する事が可能であり、例えば、三角錐や三角柱や四角錐や四角柱や四面体や多角錐や多角柱や多面体や直方体や立方体や球等の図形であっても良いし、また、動物や人の形状であってもよいが、これらに限定するわけではない。また、小片は、立体に限定する必要は無く、例えば、シート状物を任意の形状にくりぬいた平面のものでもよい。また、小片の大きさは、小片側アンテナ識別情報記憶手段と、小片側アンテナとを有する事が可能であれば、任意の大きさを採用する事が可能であるが、例えば、あまりにも小片を大きくしてしまった結果、支持台紙側アンテナと通信させようとした際に位置を特定し難くなってしまったり、支持台紙側アンテナと通信させようとすると冊子体が小片によって覆い隠されてしまうようになると、扱い難い音が出る本になるため、小片の大きさは、冊子体よりも小さく、かつ、小片側アンテナ識別情報と小片側アンテナとを有する事が可能な大きさである事が好ましい。より具体的に説明すると、一般的な小片側アンテナ識別情報記憶手段は１辺が２ｍｍ以上の四角形である事が多く、また、一般的な小片側アンテナは１辺が５ｍｍ以上の四角形である事が多いため、小片側アンテナは、少なくとも、１辺が５ｍｍ以上の正方形を有する事が可能な大きさにする必要がある。また、冊子体に設けられている絵柄に小片を近づけたり絵柄と小片とを接触させて、小片側アンテナと支持台紙側アンテナとを通信させる事によって音が出るため、絵柄に小片を近づけたり絵柄と小片とを接触させた際に小片側アンテナと支持台紙側アンテナとが通信し易くするために、小片のうち、絵柄と接触する部分は、冊子体に設けられた絵柄と略同じ、若しくは、冊子体に設けられた絵柄よりも小さくするのが好ましい。このように絵柄と接触する部分を、冊子体に設けられた絵柄と略同じ、若しくは、冊子体に設けられた絵柄よりも小さくすることによって、小片を絵柄が設けられている位置に合わせやすくなるため、小片側アンテナと支持台紙側アンテナとを通信し易くすることが可能になる。しかし、これに限定する必要は無く、小片は任意の大きさを採用する事が可能であり、たとえば、絵柄よりも大きくする事も可能である。なお、小片と絵柄は関連していても良いし、関連していなくても良く、本願発明の音の出る本の目的に応じて任意に設定する事が可能である。例えば、本願発明の音が出る本を絵柄の上に絵柄が示す小片を置くという幼児用の単語学習張とする場合は、絵柄と小片とを関連させる必要があるし、また例えば、本願発明の音が出る本を、絵柄の上にアメリカ人の服装をした小片を置いて英語を学習するという英単語学習長とする場合は、絵柄と小片ととを関連させなくても良くなる。なおこれらに限定する必要は無く、小片は音が出る本の目的に応じて任意の形状、大きさを採用することが可能である。
【００１７】
また、頁情報作成手段とは、冊子体のうち、開かれている頁がどこであるのかを示す頁情報を作成する手段である。また、頁情報とは、冊子体の開いている頁がどこであるのかを示す情報であり、開いている頁を識別する情報である。例えば、開いている頁の頁番号や開いている頁の位置情報や開いている頁の内容等があげられるがこれらに限定する必要は無い。なお、頁番号を頁情報とする際は、冊子体を開いた際の右側の頁の頁番号にするのか、若しくは、左側の頁の頁番号にするのかは任意に定める事が可能である。
【００１８】
また、音とは、空気等の媒質の振動によって生ずる波であればいずれのものでもよく、例えば、音楽や、音声や、動物の鳴声や、楽器の音や、物音や、足音などが挙げられるがこれに限定するわけではない。また音と絵柄とは、関連していても良いし、関連していなくてもよい。ここで、音と絵柄とが関連している場合とは、冊子体に設けられた絵柄に小片を近づけたり接触させたりした際に出る音が、冊子体に設けられた絵柄から想定される音である場合である。逆に、音と絵柄とが関連していない場合とは、子体に設けられた絵柄に小片を近づけたり接触させたりした際に出る音が、冊子体に設けられた絵柄から想定されない音である場合である。例えば、冊子体に蛙の絵を設け、そこに小片を近づけたり、接触させたりすると、蛙の鳴声が出たり、蛙に関連する音楽が出るようにすれば、音と絵柄とを関連させる事となるし、逆に、冊子体に三角形の図形が設けられており、そこに小片を近づけたり、接触させたりすると、蛙の鳴声が出たり、蛙に関連する音楽が出るようにすれば、音と絵柄とを関連させない事となる。なお、本願発明において絵柄とは、文字や、図形や、記号や、これらの組み合わせ等いずれのものでもよく、例えば、具体的な概念を駆動させるものであってもよいし、逆に、具体的な概念を駆動させない抽象画や模様などであってもよい。
【００１９】
また、本願請求項２記載の発明によれば、隣接する支持台紙側アンテナと支持台紙側アンテナとの間の距離を冊子体の厚みの２倍以上であるため、誤作動を防ぐことが可能になる。
【００２０】
つまり、本願発明では、支持台紙に重なるように冊子体が設けられている。よって、冊子体のどの頁を開いた場合であっても、支持台紙側アンテナと小片側アンテナとの通信が可能になるように、支持台紙側アンテナの通信距離は、少なくとも冊子体の厚みと略同じ、若しくは、冊子体の厚みよりも長くなるように設定される事が多い。しかし、支持台紙には少なくとも２つの支持台紙側アンテナが設けられるため、例えば、本願請求項１記載の発明に包含される形態である、支持台紙側アンテナと支持台紙側アンテナを近づけた結果、隣接する支持台紙側アンテナと支持台紙側アンテナとの距離が、支持台紙側アンテナの通信距離よりも短くなってしまった場合では、ある支持台紙側アンテナと通信させようとして小片を近づけた際に、他の支持台紙側アンテナと通信してしまい、希望した音とは異なる音が出てしまうことがある。しかし、本願請求項２記載の発明では、隣接する支持台紙側アンテナと支持台紙側アンテナとを冊子体の厚みの２倍以上離しているため、通信しようとしている支持台紙側アンテナに小片側アンテナを近づけた際に、他の支持台紙側アンテナと通信してしまう事を防ぐ事が可能になり、希望した音を安定して提供する事が可能になる。
【００２１】
ここで、冊子体の厚みとは、冊子体を閉じた際に、冊子体の最も外側に位置する頁の一点から最も外側に位置する頁と対向して最も外側に位置する頁に向けて伸ばした垂線が、前記最も外側に位置する頁と対向して最も外側に位置する頁との交点までの距離である。換言すれば、最も外側に位置する頁である表表紙の外側の面から、最も外側に位置する頁と対向して最も外側に位置する頁である裏表紙の外側の面までの距離である。なお、外側の面とは、表表紙の面及び、裏表紙の面のうち、本文と接する面と対向する面のことである。
【００２２】
また、隣接する支持台紙側アンテナの間の距離とは、支持台紙側アンテナの略中央から、隣り合う支持台紙側アンテナの略中央までの距離である。また、支持台紙側アンテナの通信距離とは、支持台紙側アンテナが小片側アンテナと通信可能な距離のことである。つまり、支持台紙側アンテナは、通常支持台紙側アンテナから一定距離電波を発しており、この発した電波の端点から支持台紙側アンテナまでの距離である。なお、支持台紙側アンテナの長さによって通信距離を変更する事が可能である。また、持台紙側アンテナの略中央から、隣り合う支持台紙側アンテナの略中央までの距離は、冊子体の厚みの２倍以上で、支持台紙側アンテナの通信距離が重ならないように設けたほうがより好ましい。具体的には、支持台紙側アンテナの通信距離を、冊子体の厚みよりも若干長くし、隣り合う支持台紙側アンテナとの間の距離を支持台紙側アンテナの通信距離の２倍以上にすれば、冊子体のどの頁を開いても小片側アンテナと支持台紙側アンテナとを通信さえる事が可能になり、かつ、誤作動を防ぐ事が可能になるため好ましいがこれに限定するわけではない。なお、支持台紙側アンテナの通信距離は、１ｃｎ以上８ｃｍ以下であることが多く、また、冊子体の厚みは、５ｍｍ以上３５ｍｍ以下である事が多いため、隣接する支持台紙側アンテナと支持台紙側アンテナとの距離は、５ｃｍ以上、より好ましくは７ｃｍ以上であれば、冊子体のどの頁を開いても小片側アンテナと支持台紙側アンテナとを通信さえる事が可能になり、かつ、誤作動を防ぐ事が可能になるため好ましいがこれに限定するわけではない。
【００２３】
また、本願請求項３記載の発明によれば、一つの頁の少なくとも２箇所から音がでて、かつ、その音が音声であるため、より面白みのある単語学習長や絵本等を提供する事が可能になる。例えば、一つの箇所から日本語が、他の箇所から英語がでるようにすれば、楽しみながら単語を学習する事が可能な単語学習用の音が出る本を提供する事が可能になる。また、例えば、一つの箇所からある登場人物のセリフが、他の箇所から別の登場人物のセリフが出るようにすれば、より面白みのある音が出る本を提供する事が可能になる。なお、これらに限定する必要はない。
【００２４】
また、本願請求項４記載の発明によれば、小片が少なくとも２つ以上あるため、より面白みのある音が出る本を提供することが可能になる。つまり、本願発明では、支持台紙側アンテナ識別情報、頁情報、及び、小片側アンテナ識別情報ごとに音を変えることが可能であるため、小片が少なくとも２つあることによって、同じ頁の同じ場所であっても置く小片を変えることで、異なる音を出すことが可能になり、より面白みのある音が出る本を提供することが可能になる。更に、小片が少なくとも２つ存在するため、本願発明の音が出る本から出る音の種類をより多くする事が可能になる。よって、例えば、本願発明の音記憶手段に記憶される音を音声にして単語学習用の音が出る本とした際に、１冊の音が出る本によってより多くの単語を学習する事が可能になる。
【００２５】
例えば、本願請求項３記載の発明に包含される形態である、一つの箇所から日本語が、他の箇所から英語がでるようにした場合では、一つの箇所から一つの音声しか出ないため、学習できる単語の数が限定されてしまう。しかし、小片を少なくとも２つすることによって、同じ支持台紙側アンテナであっても小片を変えることで違う音を出すことが可能になるため、学習できる単語の数を増やすことが可能になり、冊子体の厚みは変えなくても、より多くの単語を学習する事が可能になる。
【００２６】
また、本願請求項５記載の発明によれば、前記小片が、音記憶手段に記憶されている音と対応した形状を有しているため、音と形状を結びつけて学習する事が可能である。特に、音記憶手段に音声を記憶させた単語学習用の音が出る本にした際に、小片を音記憶手段に記憶されている音に対応させた形状にする事によって、どの言葉を学習しているのかの区別がし易くなり、より効果的に学習する事が可能になる。
【００２７】
なお、小片が音と対応した形状を有しているとは、小片が音と関連した形状をしているということである。例えば、音が英語である場合に、小片がアメリカやイギリス等のように英語を連想させる形状を有していたり、また例えば、音が動物の鳴声である場合に、小片がその動物の形状を有していたり、また例えば、音が音楽である場合に、小片がその音楽を表す形状を有している場合等があげられるがこれらに限定する必要は無い。また小片は、少なくとも小片の一部が音と関連している部分を有していれば良く、小片全体が音と関連した形状をしていることに限定するわけではない。
【００２８】
また、本願請求項６記載の発明では、小片側アンテナが、小片のうち冊子体と接触する面の近傍に設けられているため、小片側アンテナと通信する支持台紙側アンテナの通信距離を短くする事が可能になる。その結果、隣り合う支持台紙側アンテナとの距離を最小にする事が可能になり、支持台紙により多くの支持台紙側アンテナを設ける事が可能になる。
【００２９】
すなわち、本願請求項１記載の発明に包含される形態である、小片側アンテナが、小片のうち冊子体と接触する面とは離れた位置に設けられている場合では、小片と冊子体とを接触させた際に小片側アンテナと支持台紙側アンテナが通信するように、支持台紙側アンテナの通信距離を長くしなければならない。しかし、支持台紙側アンテナの通信距離が長くなると、誤作動を防ぐために、隣り合う支持台紙側アンテナと支持台紙側アンテナの間の距離を長くする必要が生じ、その結果、支持台紙に小片側アンテナを設ける数が限定されてしまう。本願請求項６記載の発明では、小片側アンテナを小片の、最も冊子体寄りに設けているため、支持台紙側アンテナの通信距離を短くする事が可能になり、その結果、誤作動を防ぎながらもより多くの支持台紙側アンテナを支持台紙に設ける事が可能になり、より面白みのある音が出る本を提供する事が可能になる。
【００３０】
ここで、小片のうち冊子体と接触する面の近傍とは、小片のうち、最も冊子体に近い部分の近傍であれば、小片の形状によって任意に定める事が可能である。例えば、小片が人の形をしたものであって足の裏部分が冊子体と接触する場合であれば、小片側アンテナを足の裏近傍に設ける事によって、通信距離を最も短くする事が可能になり、より面白みのある音が出る本を提供する事が可能になる。
【発明を実施するための最良の形態】
【００３１】
以下、本願発明を図面に基づき詳細に説明する。
【００３２】
図１は、本願発明における音が出る本の正面図であり、１は音が出る本、２は小片、３は本部分、４は小片Ａ、５は小片Ｂ、６は本体台紙、７は冊子体、８は厚紙台紙、９は支持台紙、１０は音発生手段、１１は表表紙、１２は本文、１３は裏表紙、１４は冊子体７の小口、１５は音発生装置１０の縦方向の長さ、１６は冊子体の縦方向の長さ、１７は音発生装置１０の高さ、１８は冊子体７と厚紙台紙８と支持台紙９とをあわせた高さ、１９は小片側アンテナである。なお図１において点線部分は、音の出る本を図１の角度から見た際に見えないが、存在する部分である。
【００３３】
図１において、音が出る本１は、小片２と本部分３によって構成されている。小片２は２つ存在し、黒い髪と黒い目をし、日本の国旗が描かれているシャツを着ている小片Ａ４と、金色の髪と青い目をし、アメリカの国旗が描かれているシャツを着ている小片Ｂ５で構成されている。それぞれの小片には、胴体部分の下部の内側に小片側アンテナ１９を有している。
【００３４】
また本部分３は、本体台紙６の片側に設けられた冊子体７と厚紙台紙８と支持台紙９と、本体台紙の残りの片側に設けられた音発生装置１０とによって構成されている。本体台紙６は、冊子体７、厚紙台紙８、支持台紙９、及び、音発生装置１０を支える役割を果たしており、厚紙台紙８と音発生装置１０とを横に並べた大きさと略同じ大きさに形成されている。また本体台紙６の上には、厚紙台紙７と音発生装置１０が並べて設けられおり、厚紙台紙８の上には、支持台紙９が、面と面が合わさるように設けられている。また、冊子体７は、表表紙１１と本文１２と裏表紙１３を有しており、裏表紙１３と支持台紙９が重なるように、支持台紙９の上に設けられている。また、冊子体７の小口１４側の本体台紙６の上には、音発生装置１０が設けられている。本実施の形態では、音発生装置１０は、縦方向の長さ１５が冊子体の縦方向の長さ１６と略同じ長さで、高さ１７が冊子体と厚紙台紙１１と支持台紙１２とをあわせた厚み１８と同じになるように形成されたプラスチック製の箱であり、その内部に頁情報作成手段と、音記憶手段と、音再生手段と、支持台紙側アンテナ識別情報作成手段と、音計算手段とを有している。また、本実施の形態では、冊子体７と厚紙台紙８と支持台紙９とをあわせた高さ１８が、音発生装置１０の厚みと略一致するように厚紙台紙８を形成して、音発生装置１０と冊子体７との高さを略揃えており、製造中に音が出る本１を重ねても、重さが一箇所に集まった結果、その部分に傷や凹みが形成されてしまうという事を防ぐ事を可能にしている。
【００３５】
なお本実施の形態では、頁情報作成手段、音記憶手段、音再生手段、支持台紙側識別情報作成手段、及び、音計算手段が、冊子体７の横に設けられた音発生装置１０の中に設けられているがこれに限定する必要は無く、頁情報作成手段、音記憶手段、音再生手段、支持台紙側識別情報作成手段、及び、音計算手段は、それぞれ任意の場所に設ける事が可能である。例えば、音記憶手段、音再生手段、支持台紙側識別情報作成手段、及び、音計算手段等を支持台紙の下に設け、頁情情報作成装置を冊子体７の小口１４側に設けることも可能である。なおこれに限定するわけではない。
【００３６】
更に、本実施の形態では、冊子体７の裏表紙１３と支持台紙９が重なっているため、音が出るのは裏表紙１３側に位置する頁のみであるがこれに限定する必要は無く、例えば、裏表紙１３と表表紙１１の両方に支持台紙９を設けることも可能であるし、また、表表紙１１に支持台紙９を設けることも可能であり、任意の部分に設ける事が可能である。
【００３７】
また、図１において、厚紙台紙８は、本願発明の音が出る本１の厚みを一定にする役割を担っており、本実施の形態では、冊子体７の大きさよりも弱冠大きい大きさで、かつ、冊子体７と重ね合わせた際に音発生装置１０と略同じ厚みにすることが可能な厚みになるように形成した発砲スチロールを採用している。なお、厚紙台紙８は、例えば冊子体７が音発生装置１０と同じ厚みである場合や、音発生装置１０と冊子体７とを横に並べないような場合では使用しなくてもよい。また、本実施の形態では、厚紙台紙８に発泡スチロールを採用したがこれに限定する必要は無く、厚みを一定にする事が可能であれば任意のものを採用する事が可能である。しかし。音が出る本１を軽くして持ち運び易くする事が可能になるように、軽い材料を採用する事が好ましく、さらには、冊子体７よりも軽い方がより好ましいがこれに限定するわけではない。
【００３８】
図２は、図１における音が出る本の支持台紙９の拡大概念図である。図１と同じ番号を付したものは同じものであるため、説明を割愛し、２０は支持台紙側アンテナ、２１は下支持台紙、２２は上支持台紙、２３は支持台紙側アンテナを収納可能な貫通孔、２４は支持台紙アンテナ用の基盤、２５はケーブル、２６はケーブル用貫通孔である。
【００３９】
図２において、支持台紙１２は、厚紙台紙１１の上に設けられており、支持台紙側アンテナ２０を支持する役割を担っている。また、本実施の形態では、支持台紙１２は、下支持台紙２１と上支持台紙２２の２枚の台紙が重なったものである。下支持台紙２１は支持台紙側アンテナ２０を支持する役割を果たし、また、上支持台紙２２は下支持台紙２１に設けられた支持台紙側アンテナ２０を保護する役割を果たしている。
【００４０】
下支持台紙２１は、厚さが略２ｍｍのボール紙よりなる、冊子体７と略同じ大きさの矩形をしており、厚紙台紙８と接する面とは対向する面に横に３列、縦に３行の合計９個の支持台紙側アンテナ２０が均等に設けられている。また上支持台紙２２は、厚さが略２ｍｍのボール紙よりなる、冊子体１０と略同じ大きさの矩形をしており、下支持台紙２１の上に重ねられている。また上支持台紙２２には、支持台紙側アンテナ２０が収納可能な貫通孔２３が、下支持台紙２１に設けられた支持台紙側アンテナ２０と対応する位置に合計９個設けられており、下支持台紙２１と重ね合わせた際は貫通孔に支持台紙側アンテナ２０が収まるようになっている。
【００４１】
なお、本実施の形態では、支持台紙９は下支持台紙２１と上支持台紙２２の２つの支持台紙を重ね合わせたものを採用しているがこれに限定する必要は無く、例えば、支持台紙９は一枚であってもよい。なお、一般的に本は、運送時や店頭販売時に積み重ねられるため、重さによって支持台紙側アンテナ２０に傷がついたり凹みが形成されてしまう事を防ぐ事が可能になるように、支持台紙９を、支持台紙側アンテナ２０の厚みよりも厚くし、かつ、支持台紙側アンテナ２０を保護可能になるように形成する事が好ましく、例えば、本実施の形態のように、支持台紙側アンテナ２０よりも厚みを有する支持台紙９を２枚使用して上支持台紙２２に貫通孔２３を設けて積み重ねた際でも支持台紙側アンテナ２０に重みがかからないようにしたり、また例えば、支持台紙９を１枚にする場合は、支持台紙側アンテナ２０よりも厚みを厚くし、かつ、支持台紙側アンテナ２０が収まる穴を設けこの穴の中に支持台紙側アンテナ２０を納めて、重ね合わせた際に支持台紙側アンテナ２０に重みがかからないようにしたほうが好ましいが、これらに限定することなく、支持台紙９は任意の厚みを採用する事が可能であるし、任意のやり方を採用して支持台紙側アンテナ２０を支持台紙９に設ける事が可能である。例えば、支持台紙９の厚みを支持台紙側アンテナ２０の厚みよりも薄くすることも可能であり、このようにする場合は、例えば、冊子体７の表紙に凹部を設け、凹部に支持台紙側アンテナ２０が収納されるようにずれば、支持台紙側アンテナ２０に傷や凹み等が形成されないため好ましいが、これに限定するわけではない。
【００４２】
また、本実施の形態では、支持台紙９にボール紙を採用したがこれに限定する必要はなく、支持台紙９には任意のものを採用する事が可能である。ただあまりにも重い材料を採用すると、持ち運びが困難になる可能性があるため、軽い材料が好ましいが、あまりにもやわらかい材料を支持台紙９に採用すると、音が出る本１を重ねた際に、支持台紙９がやわらかすぎて平行が保たれなくなったり、支持台紙側アンテナ２０に歪み等が生じる場合が考えられるため、支持台紙には弾力性のある軽い材料を採用する事が好ましく、更には紙を採用する事が好ましい。支持台紙９に紙を採用する事によって、冊子体７と支持台紙９とがあたかも一体となっているようにする事が可能になる上、紙のクッション性によって支持台紙側アンテナ２０を保護する事が可能になる。また、支持台紙９に紙を採用する場合は、冊子体７の表紙と略同じ種類の紙を使用し、冊子体の表紙に設けられた絵柄と連続するような絵柄を支持台紙９の冊子体７と重なる面とは対向する面に設ければ、より冊子体７と一体となっているようにする事が可能になるため好ましいがこれに限定するわけではない。
【００４３】
また、本実施の形態では、上支持台紙２２の、下支持台紙２１と重なる面とは対向する面に、略全面に接着剤を設け、接着剤によって上支持台紙２２と冊子体７とを貼着している。また、上支持台紙２２の、下支持台紙２１と重なる面には、貫通孔２３を除いて接着剤を設けて、下支持台紙２１と貼着しているがこれに限定する必要は無く、任意のやり方を採用して支持台紙９の上に冊子体７を設ける事が可能である。例えば、支持台紙９の冊子体７と重なる面には、支持台紙９の周辺のみに接着剤を設けて冊子体７と貼着するようにしても良いし、また例えば、接着剤を用いずに粘着テープ等で冊子体７と支持台紙９とを貼着してもよく、任意のやり方を採用する事が可能である。しかし、例えば、支持台紙９の略全面と、冊子体７の略全面とが貼着するように、支持台紙９に冊子体７を設けない場合では、音が出る本を手に取った状態で遊んだり、ひざに乗せた状態で遊んだ際に、支持台紙９と冊子体７とが離れてしまい、支持台紙側アンテナ２０と小片側アンテナ１９とが通信しなくなってしまう場合が考えられるため、支持台紙９の略全面と、冊子体７の略全面とが貼着するように、支持台紙９に冊子体７を設ける事が好ましいが、これに限定する必要は無い。なお、略全面とは、全面が好ましいが、支持台紙９と冊子体７が離れる事を防ぐ事が可能であれば全面でなくてもよい。
【００４４】
また、支持台紙側アンテナ２０は、下支持台紙２１に設けられ、小片側アンテナ１９と通信して小片側アンテナ識別情報を受信する役割を担うものである。本実施の形態では、一片が略２ｃｍの正方形の形をしており、厚みは略２ｍｍである。そして横３列、縦３行、合計９個、均等に下支持台紙２１に設けられた支持台紙アンテナ用の基盤２４の上に、渦巻き状に支持台紙側アンテナ２０がそれぞれ設けられている。また支持台紙側アンテナ２０が設けられた下支持台紙２１には、支持台紙側アンテナ２０の近傍に小さな貫通孔２６がそれぞれ形成されており、この貫通孔２６に支持台紙側アンテナ２０と支持台紙側アンテナ識別情報作成手段とを結ぶケーブル２５が通っている。つまり支持台紙側アンテナ２０にそれぞれ設けられたケーブル２５が、支持台紙側アンテナ２０近傍にそれぞれ設けられた貫通孔２６を通って、下支持台紙２１の支持台紙側アンテナ２０が設けられた面とは対向する面側で支持台紙側アンテナ識別情報作成手段と連結しているのである。
【００４５】
図３は図１の音が出る本の小片が有している小片側アンテナと小片側アンテナ識別情報記憶手段の拡大正面図である。
図３において、図１、図２と同じ番号を付したものは同じものであるため、説明を割愛し、３０は小片側アンテナ用の基盤、３１は小片側アンテナ識別情報記憶手段である。
【００４６】
図３において、小片側アンテナ１９は基盤３０の上に渦巻状に設けられている。また、小片側アンテナ１９には小片側アンテナ識別情報記憶手段３１が設けられており、小片Ａ４の小片側アンテナ識別情報記憶手段３１は『１』という小片側アンテナ識別情報を記憶しており、小片Ｂ５の小片側アンテナ識別情報記憶手段３１は『２』という小片側アンテナ識別情報をそれぞれ記憶している。なお、本実施の形態では、小片側アンテナ識別情報は数字であるが、これに限定する必要はなく、音計算手段が小片であることを区別する事が可能であれば、任意のものを採用する事が可能であり、例えば記号や図形であっても良いし、また例えば『日本人』や『Ｊａｐａｎｅｓｅ』等のように名前であってもよく、任意のものを採用する事が可能である。また、小片側アンテナ識別情報記憶手段３１に記憶する識別情報は、本実施の形態のように小片ごとに異なるようにすることに限定する必要は無く、例えば小片側アンテナ識別情報を同じにしたり、また例えば小片側アンテナ識別情報が同じ小片と異なる小片とが混在したりする事も可能であり、音が出る本１の目的に応じて任意の形態を採用する事が可能である。更に小片側アンテナ１９、及び、小片側アンテナ識別情報記憶手段３１は、例えばＩＣタグやＲＦタグ等、市販のものを採用する事が可能である。
【００４７】
また小片側アンテナ１９を設ける位置は任意の場所を採用する事が可能であり、本実施の形態のように胴体部分の下部の内側に限定する必要は無い。なお、小片側アンテナ１９を小片２の外側に設けると、小片側アンテナ１９が外れてしまう場合も考えられるため、小片側アンテナ１９は小片２の内側に設ける事が好ましいがこれに限定する必要は無い。また本実施の形態では、小片２は内部が空洞になるプラスチックで形成されているがこれに限定する必要は無く、小片側アンテナ１９を設ける事が可能であれば、任意の材料で形成する事が可能であり、例えば、紙や発砲スチロールや木等を採用する事が可能であるがこれに限定するわけではない。
【００４８】
図４は図１の音が出る本の任意の頁を開いた状態を示した概念図である。図４において図１〜図３と同じ番号を付したものは同じものであるため、説明を割愛し、３５は凸部、３６は上面、３７は溝、３８は矢印部、３９は矢印部３８の中央、４０は絵柄、４１は音再生手段、４２は小孔である。
【００４９】
図４において、支持台紙９の上に設けられた冊子体７は、小口１４に頁毎に長さの異なる凸部３５を有しており、小口１４を表紙から見ると、最初の頁から最後の頁までが階段状になっている。また、冊子体７の小口１４側には音発生装置１０が設けられており、音発生装置１０は、頁情報作成手段、音記憶手段、音再生手段、支持台紙側アンテナ識別情報作成手段、及び、音計算手段を有している。
【００５０】
頁情報作成手段は、音発生装置１０の、本体台紙６とは対向する面である上面３６の小口１４側に、上下方向に設けられた溝３７と、前記溝３７を移動する矢印部３８と、前記矢印部３８の位置から頁情報を計算する頁情報計算装置（図示しない）を有している。矢印部３８は、先端が冊子体７の小口１４の方向を向いており、冊子体７の各頁が小口１４側に有している凸部３５を押さえて、矢印部３８によって押さえられた凸部３５を有する頁より下に存在する頁を開くことを防ぐ役割を果たしている。よって、矢印部３８によって押さえられた凸部３５を有する頁より下に存在する頁を開く際は、矢印部３８を地側にずらして矢印部３８によって押さえられる凸部３５を変える事によって可能になる。逆に、矢印分３２によって抑えられた凸部３５を有する頁よりも上に存在する頁を開く際は、矢印部３８を天側にずらして矢印部３５によって押さえられる凸部３５を変える事によって可能になる。また矢印部３８の中央３９には、矢印部３８と頁情報計算装置とを結ぶ棒が前記溝３７を通って設けられており、頁情報計算装置は、前記棒を通じて矢印部３８の位置を把握し、この位置から現在開かれている頁の頁情報である頁番号を計算している。よって例えば、矢印部３８が溝の最も上に位置している場合は、頁番号が１であると判断し、矢印部が３つ目の凸部を抑えている位置にある場合は、頁番号が３であると判断する。
【００５１】
なお、本実施の形態では、冊子体の全ての頁において音が鳴るため、全ての頁が凸部を有しているがこれに限定する必要は無く、少なくとも音が鳴る頁が凸部を有していればよい。また、本実施の形態では、頁情報作成手段を、天地方向に設けられた溝３７と、前記溝３７を移動する矢印部３８と、前記矢印部３８の位置から頁情報を計算する頁情報計算装置とを有するものにしたがこれに限定する必要は無く、頁情報作成手段は、現在開いている頁の情報である頁情報を作成する事が可能であれば任意のものを採用する事が可能である。また、後述するように別の実施の形態を採用する事も可能であるがこれらに限定するわけではない。
【００５２】
冊子体７の各頁には絵柄４０が設けられており、本実施の形態では、絵柄４０は、下支持台紙２１に設けられた支持台紙側アンテナ２０に対応するように、横に３つ、縦に３つ、合計９つの絵柄４０がオフセット印刷によって設けられている。なお本実施の形態は、絵柄４０をオフセット印刷によって設けたが、任意の方法を採用して設ける事が可能であり、例えば、グラビア印刷やスクリーン印刷を採用する事も可能であるし、また手書きでも受けても良い。なおこれらに限定するわけではない。また、絵柄４０は平面であることに限定する必要は無く、ポップアップや立体が直接置かれる等のように立体であってもよい。
【００５３】
また絵柄４０は、その一つ一つが名詞や動作を表すものであり、小片Ａ４を絵柄４０と接触させると絵柄４０の日本語による音声が、小片Ｂ５を絵柄４０と接触させると絵柄４０の英語による音声が音再生手段４１から出る。例えば、月の絵柄４０と小片Ａ４を接触させると日本語で『月』という音声が音再生手段４１から出、同様に、月の絵柄４０と小片Ｂ５を接触させると英語で『Ｍｏｏｎ』という音声が音再生手段４１から出る。なお本実施の形態では、音再生手段４１は、音発生装置１０の上面の天部分に設けられた小孔４２の下に設けられており、小孔４２によって音再生手段４１から出る音がこもるのを防いでいる。
【００５４】
図５は、図１の音が出る本の絵柄部分を拡大した拡大正面図である。
なお図５において点線部分は、音の出る本を図５の角度から見た際に見えないが、存在する支持台紙アンテナ用の基盤、支持台紙側アンテナ２０、ケーブル２３、及び、ケーブル用の貫通孔２２である。
【００５５】
図５において、図１〜図４と同じ番号を付したものは同じものであるため、説明を割愛し、４５は絵柄４０の中央、４６は支持台紙側アンテナ２０の中央、４７は支持台紙側アンテナ２０の通信可能な範囲、４８は支持台紙側アンテナ２０の通信距離、４９は絵柄４０の縦方向の長さ、５０は絵柄４０の横方向の長さ、５１は支持台紙側アンテナ２０の中央４６から隣接する支持台紙側アンテナ２０の中央４６までの距離である。
【００５６】
図５において、絵柄４０は、下支持台紙２１に設けられた支持台紙側アンテナ２０に対応するように、横に３つ、縦に３つ、合計９つの絵柄４０がオフセット印刷によって設けられている。また、絵柄４０は、絵柄４０の中央４５が支持台紙側アンテナ２０の中央４６と略一致するように各頁に設けられており、更に、対応する支持台紙側アンテナ２０の通信可能な範囲４７と絵柄が略一致するように設けられている。具体的には、支持台紙側アンテナ２０の通信距離４８が略３ｃｍであるため、絵柄は、縦方向の長さ４９が６ｃｍ、横方向の長さ５０が６ｃｍの正方形をしている。このように、絵柄４０を、絵柄４０と対応する支持台紙側アンテナ２０の通信可能な範囲４７と略一致するように設ける事によって、換言すれば、他の支持台紙側アンテナ２０の通信可能な範囲４７に入らないように絵柄４０を設ける事によって、通信しようとしている支持台紙側アンテナ２０の通信可能な範囲４７に小片を置く事が可能になり、誤作動を防ぐ事が可能になるため好ましいがこれに限定するわけではない。ここで、支支持台紙側アンテナ２０の通信可能な範囲４７とは、支持台紙側アンテナ２０の中央４６から通信距離４８を半径とした球の上半分の半球の範囲である。よって例えば、印刷方式等で平面に絵柄４０を設ける場合では支持台紙側アンテナ２０の中央４６から通信距離４８を半径とした円が通信可能な範囲４７ということになり、また例えば、ポップアップや立体の物体のように立体の絵柄４０を支持台紙側アンテナ２０と対応する位置に設ける場合では支持台紙側アンテナ２０の中心４６から通信距離４８を半径とした球の上半分の半球の範囲となる。なお、本実施の形態では、冊子体の厚みは１．５ｃｍであり、支持台紙側アンテナ２０の中央４６から隣接する支持台紙側アンテナ２０の中央４６までの距離５１は略８ｃｍであるため、冊子体７のどの頁を開いても支持台紙側アンテナ２０と小片側アンテナ１９が通信可能であり、かつ、誤作動を防ぐ事が可能である。
【００５７】
なお、本実施の形態では、冊子体７の厚みを１．５ｃｍにし、隣接する支持台紙側アンテナ２０との間の距離５１を８ｃｍとしたがこれに限定する必要は無く、任意の値を採用する事が可能である。また、本実施の形態では、支持台紙側アンテナ２０の通信距離４８を略３ｃｍにしたが、これに限定する必要は無く任意の値を採用する事が可能である。しかし、任意の頁を開いて、支持台紙側アンテナ２０と小片側ア１９ンテナ５とを通信させようとした際に支持台紙側アンテナ２０の通信距離４８が短い場合では、小片側アンテナ１９と通信不可能になってしまうため、支持台紙側アンテナ２０の通信距離４８は、少なくとも、小片側アンテナ１９と接触するようにした頁に届くことが可能な距離に設定する事が好ましく、さらには、冊子体７の厚みと略同じ、若しくは、冊子体７の厚みよりも弱冠長くなるように設定すると、どの頁を開いても小片側アンテナ１９と通信可能になるためより好ましいがこれに限定する必要は無く、任意の値を採用する事が可能である。
【００５８】
また、本実施の形態では、支持台紙側アンテナ２０にそれぞれ対応するように絵柄４０を設けたがこれに限定する必要は無く、例えば、支持台紙側アンテナ２０と対応する場所以外のところにも設けるというように、絵柄４０は任意に設ける事が可能である。例えば、頁全面に絵柄４０である背景を設け、小片を置いて支持台紙側アンテナ２０と小片側アンテナ１９とを通信させる部分に『ここに小片をおいてください』という説明や音符等のような、小片２を置くように誘導可能な絵柄４０である文字や記号や絵等を設けることも可能である。なお、頁全面に背景を儲け、小片２を置くように誘導可能な文字や記号や絵等を設ける場合であっても、他の支持台紙側アンテナ２０の通信可能な範囲４７に文字や記号や絵等が入らないように設けたほうが誤作動を防げるために好ましいがこれに限定するわけではない。また支持台紙側アンテナ２０と対応する位置に設けられる絵柄４０は他の支持台紙側アンテナ２０の通信可能な範囲４７に入らなければ、任意の大きさで設ける事が可能であり、対応する支持台紙側アンテナ２０の通信可能な範囲４７より大きくても良いし、支持台紙側アンテナ２０の通信可能な範囲４７と略同じであってもよいし、逆に、支持台紙側アンテナ２０の通信可能な範囲４７より小さくても良い。なお、対応する支持台紙側アンテナ２０と確実に通信する事が可能になるため、小片を置くことになる絵柄２８は、対応する支持台紙側アンテナ２０の通信可能な範囲４７よりも小さくい方が好ましいが、これに限定する必要は無い。
【００５９】
図６は図１の音が出る本の構成を示すブロック図である。図６において、図１〜図５と同じ番号を付したものは同じものであるため説明を割愛し、５５は支持台紙側アンテナ識別情報作成手段、５６は音記憶手段、５７は頁情報作成手段、５８は音計算手段である。
【００６０】
図６において、支持台紙側アンテナ識別情報作成手段５５は、どの支持台紙側アンテナ２０が小片側アンテナ１９と通信したのかを判断し、その支持台紙側アンテナ２０の識別情報を作成する役割を担っており、本実施の形態では、支持台紙側アンテナ識別情報作成手段５５は音発生装置１０に設けられ、支持台紙側アンテナ２０とそれぞれケーブル２５で繋がっている。なお、ケーブル２５は、下支持台紙９と厚紙台紙８との間を通って、音発生装置１０に設けられている支持台紙側アンテナ識別情報作成手段５５と繋がっている。またそれぞれの支持台紙側アンテナ２０は、常に通信可能な状態を維持しており、冊子体７の任意の頁の支持台紙側アンテナ２０が設けられている位置と対応した絵柄４０に小片が置かれて小片側アンテナ１９と支持台紙側２０アンテナが通信すると、支持台紙側アンテナ２０が小片側アンテナ識別情報を受信すると共に、支持台紙側アンテナ識別情報作成手段５５がケーブル２５を通じてどの支持台紙側アンテナが通信したのかを認識し、支持台紙側アンテナ識別情報を作成する。本実施の形態では、支持台紙側アンテナ識別情報は、どのケーブル２５が反応したかというケーブル２５の情報であり、具体的には、各ケーブル２５に付与された番号である。つまり、支持台紙に９個設けられた支持台紙側アンテナ２０のうち、左上の支持台紙側アンテナ２０に設けられたケーブル２５から、『１』という支持台紙側アンテナ識別情報が付与され、一番左下に『９』という支持台紙側アンテナ識別情報が付与されている。なお、本実施の形態では、支持台紙側アンテナ識別情報を、どのケーブル２５が反応したかというケーブル２５の情報、具体的には、ケーブル２５に定義付けられた番号としたがこれに限定する必要は無く、どの支持台紙側アンテナ２０が小片側アンテナ１９と通信したのかを判断する事が可能であれば、任意に設定する事が可能であり、例えば、支持台紙側アンテナ識別情報をアルファベットや記号や名前などにすること等が可能である。なおこれらに限定するわけではない。なお、支持台紙側アンテナ２０と支持台紙側アンテナ識別情報作成手段５５は、ケーブルで結ぶことに限定する必要は無く、例えば、無線で通信するようにしてもよい。
【００６１】
音記憶手段５６は、本願発明の音が出る本において出る全ての音を記憶する役割を果たしている。本実施の形態では音発生装置１０の箱の中に設けられており、各頁に設けられた絵柄４０の日本語の音声と、英語の音声とを記憶している。なお、本実施の形態では、音記憶手段は音発生装置１０の内部に固定されているが、これに限定する必要は無く、音を記憶する事が可能であれば任意の場所に設ける事が可能であり、例えば、音発生装置１０に取り外し可能に設けることも可能である。また、音記憶手段５６に記憶されている各音は、表題情報を有しており、例えば、『つき』という日本語の音声は『３−１−１』という表題情報を有しており、また『Ｍｏｏｎ』という英語の音声は、『３−２−１』という表題情報を有している。なお表題情報とは、頁情報、小片側アンテナ識別情報、及び、支持台紙側アンテナ識別情報の組み合わせであり、任意に設定することが可能である。なお本実施の形態では、全ての頁、全ての小片２、及び、全ての支持台紙側アンテナ２０から音が出るため、音記憶手段は、全ての頁情報、全ての小片側アンテナ識別情報、及び、全ての支持台紙側アンテナ識別情報を組み合わせた数を記憶しているがこれに限定する必要は無く、音記憶手段５６が記憶する音の数は本願発明の音が出る本の目的に合わせて任意に設定する事が可能である。例えば、本願発明の音が出る本を、各頁に設けられた複数の絵柄の一つで正解の音がで、残りの絵柄では音が出ないというクイズ用の本とした場合では、各頁に設けられた複数の絵柄の一つから音が出ればよいため、音記憶手段が記憶する音は、全ての頁情報、全ての小片側アンテナ識別情報、及び、全ての支持台紙側アンテナ識別情報を組み合わせた数ではなく、全ての頁情報、全ての小片側アンテナ識別情報、及び、正解の支持台紙側アンテナ識別情報を組み合わせた数となる。
【００６２】
また音再生手段４１は、頁情報、小片側アンテナ識別情報、及び、支持台紙側アンテナ識別情報に基づいて音記憶手段５６から選択された音を再生する役割を果たしている。本実施の形態では、音再生手段４１は、音発生装置１０に設けられており図示されない。なお、本実施の形態では、音再生手段４１を音発生装置１０に設けたがこれに限定する必要は無く、任意の場所に設ける事が可能であり、例えば、音発生装置１０の外に設けることも可能である。なおこれらに限定する必要は無く、任意の場所に設ける事が可能である。
【００６３】
音計算手段５８は、小片側アンテナ１９と通信した支持台紙側アンテナ２０が受信した小片側アンテナ識別情報と、支持台紙側アンテナ識別情報作成手段５５によって作成された支持台紙側アンテナ識別情報と、頁情報作成手段５７によって作成された頁情報に基づいて音記憶手段から音を選択し、音再生手段４１によって再生させる役割を担っており、音発生装置１０に設けられており図示されない。
【００６４】
ここで、本実施の形態の音が出る本において音が出るまでを説明すると、例えば、矢印部３８をずらして上から３つ目の凸部を押さえて３頁を開くと、頁情報作成手段５７が矢印部３８の位置より頁情報を作成し、『３』という頁情報を音計算手段５８に送る。そして、小片Ａ４を頁に設けられた左上の絵柄４０に近づけると、支持台紙側アンテナ２０と小片Ａ４が有する小片側アンテナ１９とが通信して、支持台紙側アンテナ２０が、小片側アンテナ識別情報である『１』という小片側アンテナ識別情報を受信し、音計算手段５８に送る。また、支持台紙側アンテナ識別情報５５は、支持台紙側アンテナ２０と小片側アンテナ１９とが通信すると、どの支持台紙側アンテナ２０が通信したのかを認識し、『１』という支持台紙側アンテナ識別情報を作成して音計算手段５８に送る。音計算手段５５は、頁情報作成手段５７により作成された『１』と、支持台紙側アンテナ２０より受信した小片側アンテナ識別情報である『１』と、支持台紙側アンテナ識別情報作成手段５５より受信した『１』に基づいて、『３−１−１』という表題情報を有する音である『月』という音声を音記憶手段５６から選択し、音再生手段４１に『月』と再生させるのである。以上、本願発明の実施例である各図について説明したが、本発明はこの実施例にのみに限定されるものではなく、この他にも種々の態様で実施可能である。例えば、図１に示した頁計算手段は、図７に示すように、磁気を利用して頁を計算する事も可能である。
【００６５】
図７は、本願発明の音が出る本における頁情報作成手段の別の実施の形態を示す正面図である。なお、図７において点線部分は、音の出る本を図７の角度から見た際に見えないが、存在する部分である。図７において（ａ）は本願発明の音がでる本の別の実施の形態の本部分のみを示す正面図、（ｂ）は（ａ）の冊子体と磁性体支持台紙のみの拡大正面図である。
図７において、図１〜図６と同じ番号を付したものは同じものであるため、説明を割愛し、６０は磁性体支持台紙、６１は冊子体、６２は磁性体、６３は冊子体の小口、６４は表表紙である。
【００６６】
図７において、頁情報作成手段は、支持台紙９の上に設けられた磁性体支持台紙と、磁性体台紙の上に設けられた冊子体が有する磁性体と、音発生装置に設けられた頁情報計算装置とを有している。冊子体６１は、１つの頁が、２枚の紙を張り合わせた合紙によって形成されており、張り合わされた２枚の紙の間に、略円形に形成されたシート状の磁性体６２を有している。なお、磁性体６２は、２枚の紙を張り合わせる工程で、一緒に設けることが可能である。また磁性体６２は、頁毎に上下方向に位置がずれるように、冊子体６１の小口６３近傍に設けられており、本実施の形態では、表表紙６４に最も近い頁に設けられた磁性体６２が、上下方向の最も上に位置し、また、表表紙６４に最も近い頁の隣の頁は、表表紙６４に最も近い頁に設けられた磁性体６２よりも下に位置しており、冊子体を閉じた際に、各頁に設けられた磁性体６２が重ならないように設けられている。なお本実施の形態では、全ての頁で音が出るため、全ての頁に磁性体６２を設けたがこれ限定する必要は無く、磁性体６２は少なくとも音が出る頁が有していれば良く、全ての頁に設けなくても良い。なお、磁性体６２は、合紙の間に設けることに限定するわけではなく、頁の任意の場所に設ける事が可能である。例えば、合紙ではない１枚の紙のみの頁に設けることも可能である。合紙ではない頁に磁性体を設ける場合は、磁性体が見えるようになるため、例えば、頁に設けられた絵柄と略一致するような絵柄を磁性体に設けたり、磁性体を外れ難くするとよいがこれに限定するわけではなく、任意に設ける事が可能である。なお、磁性体をどのように設けた場合であっても、磁性体同士が重ならないように設ける必要がある。
【００６７】
磁性体支持台紙６０は支持台紙９と冊子体６１の間に設けられており、冊子体６１の各頁に設けられた磁性体６２と対応する位置にそれぞれ磁性体６２を有している。なお、本実施の形態では磁性体支持台紙６０に設けられた磁性体６２と冊子体６１の各頁に設けられた磁性体６２は同じものであり、直径が略１ｃｍ、厚さが略１ｍｍのシート状の磁性体６２である。なおこれに限定する必要は無く、磁性体６２は任意の形状及び任意の厚みを採用する事が可能であるし、冊子体６１に設けられる磁性体６２と、磁性体支持台紙６０に設けられる磁性体６２とを変えることも可能である。ただし、あまりにも磁性体６２が大きくなってしまうと、支持台紙側アンテナ２０と小片側アンテナ１９の通信に影響が出るため、磁性体６２は、持台紙側アンテナ２０と小片側アンテナ１９の通信に影響が出ない大きさが好ましく、具体的には、直径が３ｃｍ以下の円、より好ましくは、１．５ｃｍ以下の円である事が好ましいがこれに限定するわけではない。
【００６８】
磁性体支持台紙６０に設けられた磁性体６２には、図示しないがケーブルがそれぞれ設けられており、音発生装置１０に設けられた頁情報計算装置と繋がっている。頁情報計算装置は、ケーブルによって磁性体支持台紙６０に設けられた複数の磁性体６２のうち、冊子体６１に設けられている磁性体６２と繋がっている磁性体６２はどれかを判断して頁情報を作成する。例えば本実施の形態で説明すると、磁性体支持台紙６０に設けられた全ての磁性体６２が冊子体６１に設けられている磁性体６２と繋がっている場合は、冊子体６１は閉じた状態であると認識し、頁情報計算装置は頁情報を作成しない。また、上から３つの磁性体が全て繋がっておらず、４つ目以降が全て繋がっている場合は、３頁が開かれていると認識し、『３』という頁情報を作成し、音計算手段５８へと頁情報を伝える。
【００６９】
なお、本実施の形態では磁性体６２は小口６３側に設けられているが、これに限定するわけではなく、磁性体同士が重ならなければ、任意の場所に設ける事が可能である。しかし、支持台紙側アンテナ２０と重なる場所に設けてしまうと小片側アンテナ２０との通信に支障が出てしまうため支持台紙側アンテナ２０とは重ならない場所に設ける必要がある。更に、頁情報計算装置により近くなる位置に設けたほうが磁性体支持台紙６０に設けられるケーブルを短くする事が可能になるため好ましいがこれ院限定するわけではない。
【図面の簡単な説明】
【００７０】
【図１】本願発明における音が出る本の正面図である。
【図２】図１における音が出る本の支持台紙９の拡大概念図である。
【図３】図１の音が出る本の小片が有している小片側アンテナと小片側アンテナ識別情報記憶手段の拡大正面図である。
【図４】図１の音が出る本の任意の頁を開いた状態を示した概念図である。
【図５】図１の音が出る本の絵柄部分を拡大した拡大正面図である。
【図６】図１の音が出る本の構成を示すブロック図である。
【図７】本願発明の音が出る本における頁情報作成手段の別の実施の形態を示す正面図である。図７（ａ）は本願発明の音がでる本の別の実施の本部分のみを形態を示す正面図である。図７（ｂ）は（ａ）の冊子体と磁性体支持台紙のみの拡大正面図である。
【符号の説明】
【００７１】
１…音が出る本、２…小片、３…本部分、４…小片Ａ、５…小片Ｂ、６…本体台紙、７…冊子体、８…厚紙台紙、９…支持台紙、１０…音発生手段、１１…表表紙、１２…本文、１３…裏表紙、１４…冊子体７の小口、１５…音発生装置１０の縦方向の長さ、１６…冊子体の縦方向の長さ、１７…音発生装置１０の高さ、１８…冊子体７と厚紙台紙８と支持台紙９とをあわせた高さ、１９…小片側アンテナ、２０…支持台紙側アンテナ、２１…下支持台紙、２２…上支持台紙、２３…支持台紙側アンテナを収納可能な貫通孔、２４…支持台紙アンテナ用の基盤、２５…ケーブル、２６…ケーブル用貫通孔、３０…小片側アンテナ用の基盤、３１…小片側アンテナ識別情報記憶手段、３５…凸部、３６…上面、３７…溝、３８…矢印部、３９…矢印部３８の中央、４０…絵柄、４１…音再生手段、４２…小孔、４５…絵柄４０の中央、４６…支持台紙側アンテナ２０の中央、４７…支持台紙側アンテナ２０の通信可能な範囲、４８…支持台紙側アンテナ２０の通信距離、４９…絵柄４０の縦方向の長さ、５０…絵柄４０の横方向の長さ、５１…支持台紙側アンテナ２０の中央４６から隣接する支持台紙側アンテナ２０の中央４６までの距離、５５…支持台紙側アンテナ識別情報作成手段、５６…音記憶手段、５７…頁情報作成手段、５８…音計算手段、６０…磁性体支持台紙、６１…冊子体、６２…磁性体、６３…冊子体の小口、６４…表表紙
【図１】
2006212311.tif 000003
【図２】
2006212311.tif 000004
【図３】
2006212311.tif 000005
【図４】
2006212311.tif 000006
【図５】
2006212311.tif 000007
【図６】
2006212311.tif 000008
【図７】
2006212311.tif 000009